(57)【特許請求の範囲】
【請求項１】
プッシュ型サービスにより配信される第１のコンテンツデータと、プル型サービスにより配信される第２のコンテンツデータとの入力を受け付けるインタフェースと、
第１の記録容量を有し、前記第１のコンテンツデータを記録する第１記録領域及び、第２の記録容量を有し、前記第２のコンテンツデータを記録する第２記録領域を含む記録媒体と、
前記記録媒体に記録される前記第１のコンテンツデータのデータ量の総和が前記第１の記録容量を超えないと判断した場合に、前記インタフェースを介して入力された書き込み対象の前記第１のコンテンツデータを前記第１記録領域に書き込む制御回路と、
を有し、
前記制御回路は、
前記記録媒体に記録されている前記第１のコンテンツデータのデータ量の総和と、前記書き込み対象の第１のコンテンツデータのデータ量との総和が、前記第１の記録容量を超えないという第１の条件を満たす場合に、前記書き込み対象の前記第１のコンテンツデータを前記第１記録領域に書き込み、
前記第１の条件を満たさない場合に、前記記録媒体に記録されている前記第２のコンテンツデータのデータ量の総和と、前記書き込み対象の第１のコンテンツデータのデータ量との総和が、第２の記録容量を超えないという第２の条件を満たす場合には、前記書き込み対象の前記第１のコンテンツデータを前記第２記録領域に書き込む
電子機器。
【請求項２】
前記記録媒体は、記録している前記第１のコンテンツデータおよび前記第２のコンテンツデータのデータ量を管理する管理データをさらに記憶し、
前記制御回路は、前記第１のコンテンツデータおよび前記第２のコンテンツデータの前記記録媒体への書き込みに応じて前記記録媒体に記憶された前記管理データを更新し、前記記録媒体に記憶された前記管理データを基に、前記記録媒体に記録される前記第１のコンテンツデータのデータ量の総和が前記第１の記録容量を超えないか否かを判断する
請求項１に記載の電子機器。
【請求項３】
前記制御回路は、前記記録媒体に記録された前記第１のコンテンツデータを試聴用再生し、指示に応じて当該試聴用再生した第１のコンテンツデータを前記第２のコンテンツデータに変更する
請求項１に記載の電子機器。
【請求項４】
第１の記録容量を有し、プッシュ型サービスにより配信される第１のコンテンツデータを記録する第１記録領域及び、第２の記録容量を有し、プル型サービスにより配信される第２のコンテンツデータを記録する第２記録領域を含む記録媒体と、当該記録媒体へのコンテンツデータの書き込みを制御する制御回路と、を有する電子機器の記録制御方法であって、
前記第１のコンテンツデータと、前記第２のコンテンツデータとの入力を受け付ける第１の工程と、
前記制御回路が、前記記録媒体に記録されている前記第１のコンテンツデータのデータ量の総和と、前記書き込み対象の第１のコンテンツデータのデータ量との総和が、前記第１の記憶容量を超えないという第１の条件を満たすか否かを判定する第２の工程と、
前記制御回路が、前記第２の工程において前記第１の条件を満たすと判定した場合に、前記書き込み対象の前記第１のコンテンツデータを前記第１記録領域に書き込む第３の工程と、
前記制御回路が、前記第２の工程において前記第１の条件を満たさないと判定した場合に、前記記録媒体に記録されている前記第２のコンテンツデータのデータ量の総和と、前記書き込み対象の第１のコンテンツデータのデータ量との総和が、前記第２の記憶容量を超えないという第２の条件を満たすか否かを判定する第４の工程と、
前記制御回路が、前記第４の工程において前記第２の条件を満たすと判定した場合に、前記書き込み対象の前記第１のコンテンツデータを前記第２記録領域に書き込む第５の工程と、
を有する記録制御方法。
【請求項５】
第１の記録容量を有し、プッシュ型サービスにより配信される第１のコンテンツデータを記録する第１記録領域及び、第２の記録容量を有し、プル型サービスにより配信される第２のコンテンツデータを記録する第２記録領域を含む記録媒体と、当該記録媒体へのコンテンツデータの書き込みを制御する制御回路と、を有する電子機器に含まれるコンピュータに実行させるプログラムであって、
前記第１のコンテンツデータと、前記第２のコンテンツデータとの入力を受け付ける第１の手順と、
前記制御回路が、前記記録媒体に記録されている前記第１のコンテンツデータのデータ量の総和と、前記書き込み対象の第１のコンテンツデータのデータ量との総和が、前記第１の記憶容量を超えないという第１の条件を満たすか否かを判定する第２の手順と、
前記制御回路が、前記第２の手順において前記第１の条件を満たすと判定した場合に、前記書き込み対象の前記第１のコンテンツデータを前記第１記録領域に書き込む第３の手順と、
前記制御回路が、前記第２の手順において前記第１の条件を満たさないと判定した場合に、前記記録媒体に記録されている前記第２のコンテンツデータのデータ量の総和と、前記書き込み対象の第１のコンテンツデータのデータ量との総和が、前記第２の記憶容量を超えないという第２の条件を満たすか否かを判定する第４の手順と、
前記制御回路が、前記第４の手順において前記第２の条件を満たすと判定した場合に、前記書き込み対象の前記第１のコンテンツデータを前記第２記録領域に書き込む第５の手順と、
を前記コンピュータに実行させるプログラム。
【請求項６】
第１の記録容量を有し、プッシュ型サービスにより配信される第１のコンテンツデータを記録する第１記録領域及び、第２の記録容量を有し、プル型サービスにより配信される第２のコンテンツデータを記録する第２記録領域を含む記録媒体と、当該記録媒体へのコンテンツデータの書き込みを制御する制御回路と、を有する電子機器に含まれるコンピュータに実行させるプログラムを記録した記録媒体であって、
前記第１のコンテンツデータと、前記第２のコンテンツデータとの入力を受け付ける第１の手順と、
前記制御回路が、前記記録媒体に記録されている前記第１のコンテンツデータのデータ量の総和と、前記書き込み対象の第１のコンテンツデータのデータ量との総和が、前記第１の記憶容量を超えないという第１の条件を満たすか否かを判定する第２の手順と、
前記制御回路が、前記第２の手順において前記第１の条件を満たすと判定した場合に、前記書き込み対象の前記第１のコンテンツデータを前記第１記録領域に書き込む第３の手順と、
前記制御回路が、前記第２の手順において前記第１の条件を満たさないと判定した場合に、前記記録媒体に記録されている前記第２のコンテンツデータのデータ量の総和と、前記書き込み対象の第１のコンテンツデータのデータ量との総和が、前記第２の記憶容量を超えないという第２の条件を満たすか否かを判定する第４の手順と、
前記制御回路が、前記第４の手順において前記第２の条件を満たすと判定した場合に、前記書き込み対象の前記第１のコンテンツデータを前記第２記録領域に書き込む第５の手順と、
を前記コンピュータに実行させるプログラムを記録した記録媒体。
【発明の詳細な説明】
【技術分野】
【０００１】
本発明は、記録媒体へのコンテンツデータの書き込みを制御する電子機器、記録制御方法、プログラムおよび記録媒体に関する。
【背景技術】
【０００２】
近年、記録メディアの大容量化、並びに音楽、動画、静止画などの圧縮技術の発達により、携帯型オーディオプレーヤの記録メディアに膨大な数の楽曲データを記憶できる。
このような携帯型オーディオプレーヤは、例えば、パーソナルコンピュータに接続され、パーソナルコンピュータから様々な楽曲データを入力し、記録メディアに書き込む。
このような楽曲データには、プル型データ、例えば、パーソナルコンピュータをユーザが操作して明示的にサーバからダウンロードした音楽データやＣＤから録音したリッピングデータがあり、その他に、サーバのＰＵＳＨ型配信によりパーソナルコンピュータにダウンロードされたプッシュ型データ、例えば、サブスクリプションデータや試聴用の楽曲データがある。
従来の携帯型オーディオプレーヤは、例えば、パーソナルコンピュータからプッシュ型データを無制限に入力して記録メディアに記録している。
【０００３】
【特許文献１】特開２００２−１４９６８８号公報
【発明の開示】
【発明が解決しようとする課題】
【０００４】
しかしながら、上述した携帯型オーディオプレーヤでは、記録メディアに膨大なプッシュ型データが自動的に書き込まれてしまい、ユーザが明示して入力するプル型データを書き込めないという事態が発生する可能性があるという問題がある。
同様な問題は、楽曲データ以外の映像データなどのコンテンツデータを入力して記録メディアに記録し、再生するプレーヤにもある。
【０００５】
本発明は上述した従来技術の問題点を解決するために、プッシュ型サービスにより受信した第１のコンテンツデータを自動的に入力して記録媒体に記録する場合でも、前記第１のコンテンツデータ以外の第２のコンテンツデータを記録する記録容量を記録媒体内に自動的に確保できる電子機器、記録制御方法、プログラムおよび記録媒体を提供することを目的とする。
【課題を解決するための手段】
【０００６】
上述した従来技術の問題点を解決し、上述した目的を達成するために、第１の観点の発明の電子機器は、プッシュ型サービスにより配信される第１のコンテンツデータと、プル型サービスにより配信される第２のコンテンツデータとの入力を受け付けるインタフェースと、第１の記録容量を有し、前記第１のコンテンツデータを記録する第１記録領域及び、第２の記録容量を有し、前記第２のコンテンツデータを記録する第２記録領域を含む記録媒体と、前記記録媒体に記録される前記第１のコンテンツデータのデータ量の総和が前記第１の記録容量を超えないと判断した場合に、前記インタフェースを介して入力された書き込み対象の前記第１のコンテンツデータを前記第１記録領域に書き込む制御回路と、を有し、前記制御回路は、前記記録媒体に記録されている前記第１のコンテンツデータのデータ量の総和と、前記書き込み対象の第１のコンテンツデータのデータ量との総和が、前記第１の記録容量を超えないという第１の条件を満たす場合に、前記書き込み対象の前記第１のコンテンツデータを前記第１記録領域に書き込み、前記第１の条件を満たさない場合に、前記記録媒体に記録されている前記第２のコンテンツデータのデータ量の総和と、前記書き込み対象の第１のコンテンツデータのデータ量との総和が、第２の記録容量を超えないという第２の条件を満たす場合には、前記書き込み対象の前記第１のコンテンツデータを前記第２記録領域に書き込む。
【０００７】
第２の観点の発明の記録制御方法は、第１の記録容量を有し、プッシュ型サービスにより配信される第１のコンテンツデータを記録する第１記録領域及び、第２の記録容量を有し、プル型サービスにより配信される第２のコンテンツデータを記録する第２記録領域を含む記録媒体と、当該記録媒体へのコンテンツデータの書き込みを制御する制御回路と、を有する電子機器の記録制御方法であって、前記第１のコンテンツデータと、前記第２のコンテンツデータとの入力を受け付ける第１の工程と、前記制御回路が、前記記録媒体に記録されている前記第１のコンテンツデータのデータ量の総和と、前記書き込み対象の第１のコンテンツデータのデータ量との総和が、前記第１の記憶容量を超えないという第１の条件を満たすか否かを判定する第２の工程と、前記制御回路が、前記第２の工程において前記第１の条件を満たすと判定した場合に、前記書き込み対象の前記第１のコンテンツデータを前記第１記録領域に書き込む第３の工程と、前記制御回路が、前記第２の工程において前記第１の条件を満たさないと判定した場合に、前記記録媒体に記録されている前記第２のコンテンツデータのデータ量の総和と、前記書き込み対象の第１のコンテンツデータのデータ量との総和が、前記第２の記憶容量を超えないという第２の条件を満たすか否かを判定する第４の工程と、前記制御回路が、前記第４の工程において前記第２の条件を満たすと判定した場合に、前記書き込み対象の前記第１のコンテンツデータを前記第２記録領域に書き込む第５の工程と、を有する。
【０００８】
第３の観点の発明のプログラムは、第１の記録容量を有し、プッシュ型サービスにより配信される第１のコンテンツデータを記録する第１記録領域及び、第２の記録容量を有し、プル型サービスにより配信される第２のコンテンツデータを記録する第２記録領域を含む記録媒体と、当該記録媒体へのコンテンツデータの書き込みを制御する制御回路と、を有する電子機器に含まれるコンピュータに実行させるプログラムであって、前記第１のコンテンツデータと、前記第２のコンテンツデータとの入力を受け付ける第１の手順と、前記制御回路が、前記記録媒体に記録されている前記第１のコンテンツデータのデータ量の総和と、前記書き込み対象の第１のコンテンツデータのデータ量との総和が、前記第１の記憶容量を超えないという第１の条件を満たすか否かを判定する第２の手順と、前記制御回路が、前記第２の手順において前記第１の条件を満たすと判定した場合に、前記書き込み対象の前記第１のコンテンツデータを前記第１記録領域に書き込む第３の手順と、前記制御回路が、前記第２の手順において前記第１の条件を満たさないと判定した場合に、前記記録媒体に記録されている前記第２のコンテンツデータのデータ量の総和と、前記書き込み対象の第１のコンテンツデータのデータ量との総和が、前記第２の記憶容量を超えないという第２の条件を満たすか否かを判定する第４の手順と、前記制御回路が、前記第４の手順において前記第２の条件を満たすと判定した場合に、前記書き込み対象の前記第１のコンテンツデータを前記第２記録領域に書き込む第５の手順と、を前記コンピュータに実行させる。
【０００９】
第４の観点の発明の記録媒体は、第１の記録容量を有し、プッシュ型サービスにより配信される第１のコンテンツデータを記録する第１記録領域及び、第２の記録容量を有し、プル型サービスにより配信される第２のコンテンツデータを記録する第２記録領域を含む記録媒体と、当該記録媒体へのコンテンツデータの書き込みを制御する制御回路と、を有する電子機器に含まれるコンピュータに実行させるプログラムを記録した記録媒体であって、前記第１のコンテンツデータと、前記第２のコンテンツデータとの入力を受け付ける第１の手順と、前記制御回路が、前記記録媒体に記録されている前記第１のコンテンツデータのデータ量の総和と、前記書き込み対象の第１のコンテンツデータのデータ量との総和が、前記第１の記憶容量を超えないという第１の条件を満たすか否かを判定する第２の手順と、前記制御回路が、前記第２の手順において前記第１の条件を満たすと判定した場合に、前記書き込み対象の前記第１のコンテンツデータを前記第１記録領域に書き込む第３の手順と、前記制御回路が、前記第２の手順において前記第１の条件を満たさないと判定した場合に、前記記録媒体に記録されている前記第２のコンテンツデータのデータ量の総和と、前記書き込み対象の第１のコンテンツデータのデータ量との総和が、前記第２の記憶容量を超えないという第２の条件を満たすか否かを判定する第４の手順と、前記制御回路が、前記第４の手順において前記第２の条件を満たすと判定した場合に、前記書き込み対象の前記第１のコンテンツデータを前記第２記録領域に書き込む第５の手順と、を前記コンピュータに実行させるプログラムを記録する。
【００１０】
第５の観点の発明のプログラムは、記録媒体へのコンテンツデータの書き込みを制御するコンピュータが実行するプログラムであって、プッシュ型サービスにより受信した第１のコンテンツデータと、前記第１のコンテンツデータ以外の第２のコンテンツデータとを入力する第１の手順と、記録媒体に記録される前記第１のコンテンツデータのデータ量の総和が第１の所定量を超えるか否かを判断する第２の手順と、前記第２の手順で越えないと判断した場合に、前記第１の手順で入力した前記第１のコンテンツデータを前記記録媒体に書き込む第３の手順と、前記記録媒体に記録されている前記第１のコンテンツデータのデータ量の総和と、前記書き込み対象の第１のコンテンツデータのデータ量との総和が、前記第１の所定量を超えないという第１の条件を満たすか否かを判定する第４の手順と、前記第４の手順において、前記第１の条件を満たす場合に、前記書き込み対象の前記第１のコンテンツデータを前記記録媒体に書き込む第５の手順と、前記記録媒体に記録されている前記第２のコンテンツデータのデータ量の総和と、前記書き込み対象の第１のコンテンツデータのデータ量との総和が、第２の所定量を超えないという第２の条件を満たすか否かを判定する第６の手順と、前記第５の手順において前記第２の条件を満たす場合に、前記第４の手順において前記第１の条件を満たさないと判定した場合でも、前記書き込み対象の前記第１のコンテンツデータを前記記録媒体に書き込む第７の手順と、を前記コンピュータに実行させる。
第６の観点の発明のプログラムは、記録媒体へのコンテンツデータの書き込みを制御するコンピュータが実行するプログラムであって、プッシュ型サービスにより受信した第１のコンテンツデータと、前記第１のコンテンツデータ以外の第２のコンテンツデータとを入力する第１の手順と、記録媒体に記録される前記第１のコンテンツデータのデータ量の総和が第１の所定量を超えるか否かを判断する第２の手順と、前記第２の手順で越えないと判断した場合に、前記第１の手順で入力した前記第１のコンテンツデータを前記記録媒体に書き込む第３の手順と、前記インタフェースを介して入力した書き込み対象の前記第２のコンテンツデータのデータ量の総和が第２の所定量を超えるか否かを判断する第４の手順と、前記第４の手順において超えると判断した場合に、前記記録媒体に記録されている前記第１のコンテンツデータを削除した後に、前記書き込み対象の第２のコンテンツデータを前記記録媒体に書き込む第５の手順と、を前記コンピュータに実行させる。
第７の観点の発明の記録媒体は、所定の記録媒体へのコンテンツデータの書き込みを制御するコンピュータが実行するプログラムを記録した記録媒体であって、プッシュ型サービスにより受信した第１のコンテンツデータと、前記第１のコンテンツデータ以外の第２のコンテンツデータとを入力する第１の手順と、記録媒体に記録される前記第１のコンテンツデータのデータ量の総和が第１の所定量を超えるか否かを判断する第２の手順と、前記第２の手順で越えないと判断した場合に、前記第１の手順で入力した前記第１のコンテンツデータを前記記録媒体に書き込む第３の手順と、前記記録媒体に記録されている前記第１のコンテンツデータのデータ量の総和と、前記書き込み対象の第１のコンテンツデータのデータ量との総和が、前記第１の所定量を超えないという第１の条件を満たすか否かを判定する第４の手順と、前記第４の手順において、前記第１の条件を満たす場合に、前記書き込み対象の前記第１のコンテンツデータを前記記録媒体に書き込む第５の手順と、前記記録媒体に記録されている前記第２のコンテンツデータのデータ量の総和と、前記書き込み対象の第１のコンテンツデータのデータ量との総和が、第２の所定量を超えないという第２の条件を満たすか否かを判定する第６の手順と、前記第５の手順において前記第２の条件を満たす場合に、前記第４の手順において前記第１の条件を満たさないと判定した場合でも、前記書き込み対象の前記第１のコンテンツデータを前記記録媒体に書き込む第７の手順と、を前記コンピュータに実行させるプログラムを記録する。
第８の観点の発明の記録媒体は、所定の記録媒体へのコンテンツデータの書き込みを制御するコンピュータが実行するプログラムを記録した記録媒体であって、プッシュ型サービスにより受信した第１のコンテンツデータと、前記第１のコンテンツデータ以外の第２のコンテンツデータとを入力する第１の手順と、記録媒体に記録される前記第１のコンテンツデータのデータ量の総和が第１の所定量を超えるか否かを判断する第２の手順と、前記第２の手順で越えないと判断した場合に、前記第１の手順で入力した前記第１のコンテンツデータを前記記録媒体に書き込む第３の手順と、前記インタフェースを介して入力した書き込み対象の前記第２のコンテンツデータのデータ量の総和が第２の所定量を超えるか否かを判断する第４の手順と、前記第４の手順において超えると判断した場合に、前記記録媒体に記録されている前記第１のコンテンツデータを削除した後に、前記書き込み対象の第２のコンテンツデータを前記記録媒体に書き込む第５の手順と、を前記コンピュータに実行させるプログラムを記録する。
【発明の効果】
【００１１】
本発明によれば、プッシュ型サービスにより受信した第１のコンテンツデータを自動的に入力して記録媒体に記録する場合でも、前記第１のコンテンツデータ以外の第２のコンテンツデータを記録する記録容量を記録媒体内に自動的に確保できる電子機器、記録制御方法、プログラムおよび記録媒体を提供することができる。
【発明を実施するための最良の形態】
【００１２】
以下、本発明の実施形態の携帯型オーディオプレーヤを説明する。
＜第１実施形態＞
先ず、本実施形態の構成要素と、本発明の構成要素との対応関係を説明する。
本実施形態の楽曲データが、本発明のコンテンツデータの一例である。
本実施形態のプッシュ型データＰＵＳが本発明の第１のコンテンツデータの一例であり、プル型データＰＵＬが本発明の第２のコンテンツデータの一例である。
また、本実施形態のプッシュ型用記憶容量ＰＳＡＳが本発明の第１の所定量の一例であり、プル型用記憶容量ＰＬＡＳが本発明の第２の所定量の一例である。
【００１３】
図７に示すステップＳＴ１２が第１の観点の発明の第１の工程の一例であり、ステップＳＴ１４が第２の工程の一例であり、ステップＳＴ１５が第３の工程の一例である。
また、図２に示すプログラムＰＲＧが第３の発明のプログラムの一例である。
また、図２に示すフラッシュメモリ１６が第４の観点の発明の記録媒体の一例であり、その他、光ディスク、光磁気ディスクなどの記録媒体であってもよい。
また、図１に示すＨＤＤ１３が本発明の記録媒体の一例であり、ＵＳＢインタフェース１１が本発明のインタフェースの一例であり、ＣＰＵ１７が本発明の制御回路の一例である。
【００１４】
以下、本発明の実施形態に係わる携帯型オーディオプレーヤについて説明する。
図１は、本発明の実施形態に係わる携帯型オーディオプレーヤ１が用いられるシステムを説明するための図である。
図１に示すように、パーソナルコンピュータ３が、ネットワーク６を介して、サーバ８から、楽曲データであるプッシュ型データＰＵＳをＰＵＳＨ配信により受信する。
そして、携帯型オーディオプレーヤ１が、パーソナルコンピュータ３と通信可能になると、携帯型オーディオプレーヤ１のユーザが指定した楽曲データであるプル型データＰＵＬと、パーソナルコンピュータ３が記憶するプッシュ型データＰＵＳとをパーソナルコンピュータ３から入力（受信）する。
【００１５】
プッシュ型データＰＵＳは、プッシュ型の配信で受信あるいは入力した楽曲データであり、ユーザが意図をもって購入等の手続きをしてない楽曲データである。プッシュ型配信とは、端末側が情報をリクエストしなくても、サーバ側が一方的に情報を送り出す配信である。
本実施形態では、上記端末が携帯型オーディオプレーヤ１で、上記サーバがコンピュータ３である。なお、上記サーバがネットワーク上のサーバで、上記端末がコンピュータ３であってもよい。
【００１６】
プル型データＰＵＬは、ユーザの指示に応じて携帯型オーディオプレーヤ１に入力された楽曲データ、並びにユーザによる購入等の手続きを経たサブスクリプションデータである。
本実施形態では、プッシュ型データＰＵＳ以外の楽曲データをプル型データＰＵＬとする。携帯型オーディオプレーヤ１が無線ＬＡＮ機能を備えている場合に、サーバ８がプッシュ配信する楽曲データをダイレクトに受信してもよい。
【００１７】
図２は、図１に示す携帯型オーディオプレーヤ１の構成図である。
図２に示すように、携帯型オーディオプレーヤ１は、例えば、ＵＳＢ(Universal Serial Bus)インタフェース１１、ＳＤＲＡＭ(Synchronous DRAM)１２、ＨＤＤ(Hard Disk Drive) １３、ＬＣＤ(Liquid Crystal Display)パネル１４、入力デバイス１５、フラッシュメモリ１６、ＣＰＵ(Central Processing Unit) １７およびオーディオ出力回路１８を有する。
ＵＳＢインタフェース１１、ＳＤＲＡＭ１２、ＨＤＤ１３、フラッシュメモリ１６、ＣＰＵ１７およびオーディオ出力回路１８は、例えば、データ線１０を介して接続されている。
【００１８】
ＵＳＢインタフェース１１は、パーソナルコンピュータ３と接続され、パーソナルコンピュータ３との間でデータ入出力を行う。
ＵＳＢインタフェース１１は、パーソナルコンピュータ３と接続された状態で、パーソナルコンピュータ３から圧縮された楽曲データであるプッシュ型データＰＵＳおよびプル型データＰＵＬを入力する。
【００１９】
ＳＤＲＡＭ１２は、ＣＰＵ１７の処理に係わるデータ等を一時的に記憶する。
【００２０】
ＨＤＤ１３は、ＵＳＢインタフェース１１が入力した楽曲データ（音楽データ）を記憶する。
ＨＤＤ１３は、例えば、６０ＧＢの記憶容量を有し、ＡＴＲＡＣ(Adaptive Transfrom Acoustic Coding)３等で圧縮された約３００００曲（コンパクトディスク７００枚分）の楽曲データを記憶可能である。
ＨＤＤ１３に記憶された楽曲データ（以下、単に楽曲データとも記す）の各々には、図３に示すように、その楽曲データのＩＤ、アーティストのＩＤ、アルバムのＩＤ、プッシュ型のＩＤ、プル型のＩＤ、データ量ＡＤが、管理データＴＡＢＬＥによって対応付けられている。
管理データＴＡＢＬＥは、ＨＤＤ１３に記憶され、例えば、携帯型オーディオプレーヤ１の起動時にＳＤＲＡＭ１２に読み出される。
【００２１】
プッシュ型のＩＤは、その楽曲データがプッシュ型データＰＵＳである場合に、そのＩＤを示している。
プル型のＩＤは、その楽曲データがプル型データＰＵＬである場合に、そのＩＤを示している。
データ量ＡＤは、その楽曲データのデータ量を示している。
【００２２】
本実施形態では、図４に示すように、ＣＰＵ１７の制御により、ＨＤＤ１３の記憶容量は、プッシュ型データＰＵＳを記憶するためのプッシュ型用記憶容量ＰＳＡＳと、プル型データＰＵＬを記憶するためのプル型用記憶容量ＰＬＡＳとに分けて管理される。本実施形態では、ＨＤＤ１３の６０ＧＢの総記憶容量のうち、４０Ｇがプッシュ型用記憶容量ＰＳＡＳとして割り当てられ、２０ＧＢがプル型用記憶容量ＰＬＡＳとして割り当てられている。
すなわち、ＣＰＵ１７は、後述するように、ＵＳＢインタフェース１１を介して入力したプッシュ型データＰＵＳを、そのＨＤＤ１３への書き込みにより、ＨＤＤ１３に記憶されているプッシュ型データＰＵＳの総データ量が、プッシュ型用記憶容量ＰＳＡＳを超えない場合に、ＨＤＤ１３に書き込む。
携帯型オーディオプレーヤ１では、ＨＤＤ１３に大量のプッシュ型データＰＵＳが書き込まれ、ユーザが指示するプル型データＰＵＬをＨＤＤ１３に書き込めない事態の発生を回避する。
【００２３】
ＬＣＤパネル１４は、図５（Ｂ）に示すように、携帯型オーディオプレーヤ１の筐体の正面に設けられている。
ＬＣＤパネル１４には、ＣＰＵ１７によって種々の画面が表示される。
ＬＣＤパネル１４に表示される主な画面としては、例えば、メニュー画面、選曲画面、設定画面および再生画面などがあり、ユーザのキー操作に応じてこれらの画面が切り替わる（遷移する）。
また、ＬＣＤパネル１４は、タッチパネルであり、ユーザが指などによって接触した画面上の位置を検出し、その位置を示す検出位置信号Ｓ１４をＣＰＵ１７に出力する。
ＬＣＤパネル１４は、例えば、有機ＥＬディスプレイ（organic electroluminescence display）であってもよい。
【００２４】
入力デバイス１５は、図５に示すように、携帯型オーディオプレーヤ１の筐体に設けられ、ユーザによって操作される種々のキーである。
また、入力デバイス１５は、ＬＣＤパネル１４のタッチパネル機能より、データを入力する。
図５（Ａ）に示すように、携帯型オーディオプレーヤ１の一方の側面には、ヘッドフォン端子２１と、ＨＯＬＤキー３２とが配設されている。
図５（Ｂ）に示すように、携帯型オーディオプレーヤ１の正面には、ＬＣＤパネル１４と、ＢＡＣＫキー３８と、十字キー３７と、ＶＩＥＷキー３９と、ＭＥＮＵキー４０と配設されている。
十字キー３７は、カーソルを画面上に移動する十字上キー３７ａ、カーソルを画面左（下位階層）に移動する十字左キー３７ｂ、カーソルを画面下に移動する十字下キー３７ｃ、カーソルを画面右（上位階層）に移動する十字右キー３７ｄ、再生指示などの決定指示を入力する十字決定キー３７ｅとを有する。
図５（Ｃ）に示すように、携帯型オーディオプレーヤ１の側面には、早戻しキー３４と、再生・一時停止キー３５と、早送りキー３６と、音量調整ダイヤル３３とが配設されている。
【００２５】
フラッシュメモリ１６は、例えば、ＣＰＵ１７の動作を規定したプログラムＰＲＧを記憶する。
【００２６】
オーディオ出力回路１８は、ＣＰＵ１７が復号した楽曲データに応じたオーディオ信号をヘッドフォン端子２１に出力する。
【００２７】
ＣＰＵ１７は、フラッシュメモリ１６から読み出したプログラムＰＲＧを基に、本実施形態で説明する携帯型オーディオプレーヤ１の動作を統括的に制御する。
また、ＣＰＵ１７は、選択された楽曲データをＨＤＤ１３から読み出して復号し、これをオーディオ出力回路１８に出力する。
【００２８】
ＣＰＵ１７は、例えば、図６に示す再生画面ＤＩＳＰ１をＬＣＤパネル１４に表示する。
図６に示すように、再生画面ＤＩＳＰ１は、例えば、設定欄６０、再生リスト欄６１、再生曲属性欄６２を有する。
図６に示すように、設定欄６０は、例えば、プレイモード画像５１、サウンド画像５２、音量調整画像５３を有する。
プレイモード画像５１は、例えば、指定されている再生モードを示す画像である。再生モードとしては、例えば、アーティスト再生モード、アルバム再生モード、シャッフル再生モードなどがある。
サウンド画像５２は、指定されたサウンドを示す画像である。本実施形態では、サウンドとして、例えば、ノーマル、ポップス、ジャズ、スタジオ、ライブなどを指定できる。
音量調整画像５３は、指定された音量を示す画像である。
【００２９】
再生リスト欄６１は、指定された再生モードにおいて再生対象として選択された複数の楽曲データのタイトル名データを順に表示（配置）している。
また、再生リスト欄６１は、各タイトル名データに対応付けて、その楽曲データの再生時間データを表示する。
再生リスト欄６１内の現在再生中の楽曲データのタイトル名データおよび再生時間データ上にカーソル画像５９が表示される。
また、再生リスト欄６１は、画面右端に、カーソル画像５９を画面上方向に移動させる機能ボタン画像５６、画面下方向に移動させる機能ボタン画像５７、並びにドラッグすることによりカーソル画像５９を移動させる機能ボタン画像５５を有する。
【００３０】
ＣＰＵ１７は、再生対象の楽曲データの数が所定数以上の場合には、現在再生中の楽曲データに対して再生順が前後所定数の複数の楽曲データのタイトル名データを再生リスト欄６１に表示する。
【００３１】
再生曲属性欄６２は、現在再生中の楽曲データのタイトル名データ、アーティスト名データ、アルバム名データなどを表示する。
また、再生曲属性欄６２は、現在再生中の楽曲データが、プッシュ型データＰＵＳである場合には、その旨を示すマーク６４を表示する。
【００３２】
ＣＰＵ１７は、ＵＳＢインタフェース１１を介してパーソナルコンピュータ３から入力したプッシュ型データＰＵＳおよびプル型データＰＵＬをＨＤＤ１３に書き込む制御を行う。
ＣＰＵ１７は、例えば、ＵＳＢインタフェース１１を介してパーソナルコンピュータ３から入力したプル型データＰＵＬが、ＨＤＤ１３に記憶されているプッシュ型データＰＵＳによってＨＤＤ１３に書き込めないという事態が発生しないように、上記書き込みを制御する。
当該書き込み制御については、以下に示す携帯型オーディオプレーヤ１の動作例において詳細に説明する。
【００３３】
以下、図１に示す携携帯型オーディオプレーヤ１の動作例を説明する。
［第１の動作例］
本動作例では、携帯型オーディオプレーヤ１がパーソナルコンピュータ３からプッシュ型データＰＵＳを入力した場合を説明する。
図７は、当該動作例を説明するためのフローチャートである。
ステップＳＴ１１：
ＣＰＵ１７は、図４に示すように、ＨＤＤ１３の記憶容量について、プッシュ型データＰＵＳを記憶するためのプッシュ型用記憶容量ＰＳＡＳと、プル型データＰＵＬを記憶するためのプル型用記憶容量ＰＬＡＳとを規定する。
このとき、ＣＰＵ１７は、例えば、ユーザの操作に応じた入力デバイス１５からの指示信号に基づいて、プッシュ型用記憶容量ＰＳＡＳおよびプル型用記憶容量ＰＬＡＳを規定する。
【００３４】
ステップＳＴ１２：
ＵＳＢインタフェース１１とパーソナルコンピュータ３とが通信可能状態になり、ＵＳＢインタフェース１１を介して、パーソナルコンピュータ３からプッシュ型データＰＵＳを入力する。
ＵＳＢインタフェース１１は、パーソナルコンピュータ３と有線あるいは無線により通信可能状態となる。また、ＵＳＢインタフェース１１は、例えば、携帯型オーディオプレーヤ１をユーザが携帯しているときに、パーソナルコンピュータ３と通信不可状態になる。
ＣＰＵ１７は、例えば、パーソナルコンピュータ３から入力した楽曲データのヘッダデータを基に、当該楽曲データがプッシュ型データＰＵＳおよびプル型データＰＵＬの何れであるかを判別する。
【００３５】
ステップＳＴ１３：
ＣＰＵ１７は、例えば、図３に示す管理データＴＡＢＬＥを基に、ＨＤＤ１３に記憶されているプッシュ型データＰＵＳの総データ量を計算する。
【００３６】
ステップＳＴ１４：
ＣＰＵ１７は、ステップＳＴ１１で決定したプッシュ型用記憶容量ＰＳＡＳと、ステップＳＴ１２で受信したプッシュ型データＰＵＳのデータ量と、ステップＳＴ１３で計算した総データ量とを基に、ステップＳＴ１２で受信したプッシュ型データＰＵＳをＨＤＤ１３に記憶した場合にＨＤＤ１３が記憶するプッシュ型データＰＵＳの総データ量がプッシュ型用記憶容量ＰＳＡＳを超えないか否かを判断する。
ＣＰＵ１７は、上記判断において、超えないと判断すると、プッシュ型用記憶容量ＰＳＡＳに余裕があると判断して、ステップＳＴ１５に進み、超えると判断した場合にはステップＳＴ１６に進む。
【００３７】
ステップＳＴ１５：
ＣＰＵ１７は、ステップＳＴ１２で入力したプッシュ型データＰＵＳをＨＤＤ１３内の未記録領域に書き込む。
なお、ステップＳＴ１１においてプッシュ型データＰＵＳを記録するプッシュ型領域と、プル型データＰＵＬを記録するプル型領域とがＨＤＤ１３内に予め規定されている場合には、ＣＰＵ１７は、ＨＤＤ１３内のプッシュ型領域内の未記録領域にプッシュ型データＰＵＳを書き込む。
【００３８】
ステップＳＴ１６：
ＣＰＵ１７は、ＨＤＤ１３に記憶されているプル型データＰＵＬの総データ量と、ステップＳＴ１１で決定したプル型用記憶容量ＰＬＡＳと、ステップＳＴ１２で受信したプッシュ型データＰＵＳのデータ量とを基に、プル型用記憶容量ＰＬＡＳにプッシュ型データＰＵＳを記憶する余裕があるか否かを判断し、余裕があると判断するとステップＳＴ１７に進み、そうでない場合には処理を終了する（すなわち、プッシュ型データＰＵＳをＨＤＤ１３に書き込まない）。
ＣＰＵ１７は、プル型データＰＵＬの総データ量と、ステップＳＴ１２で受信したプッシュ型データＰＵＳのデータ量との総和が、プル型用記憶容量ＰＬＡＳを超えない場合に、上記余裕があると判断する。
【００３９】
ステップＳＴ１７：
ＣＰＵ１７は、ステップＳＴ１２で入力したプッシュ型データＰＵＳをＨＤＤ１３に書き込む。
すなわち、図８に示すように、プル型用記憶容量ＰＬＡＳのうち一部を用いて、プッシュ型データＰＵＳをＨＤＤ１３に書き込む。
【００４０】
ステップＳＴ１８：
ＣＰＵ１７は、次にＨＤＤ１３に書き込むプッシュ型データＰＵＳがあるか否かを判断し、あると判断するとステップＳＴ１３に戻り、そうでない場合には処理を終了する。
【００４１】
［第２の動作例］
本動作例では、携帯型オーディオプレーヤ１がパーソナルコンピュータ３からプル型データＰＵＬを入力した場合を説明する。
図９は、当該動作例を説明するためのフローチャートである。
ステップＳＴ２１：
ＣＰＵ１７は、図４に示すように、ＨＤＤ１３の記憶容量について、プッシュ型データＰＵＳを記憶するためのプッシュ型用記憶容量ＰＳＡＳと、プル型データＰＵＬを記憶するためのプル型用記憶容量ＰＬＡＳとを規定する。
このとき、ＣＰＵ１７は、例えば、ユーザの操作に応じた入力デバイス１５からの指示信号に基づいて、プッシュ型用記憶容量ＰＳＡＳおよびプル型用記憶容量ＰＬＡＳを規定する。
なお、ＣＰＵ１７は、図７に示すステップＳＴ１１の処理が完了している場合は、ステップＳＴ２１の処理を行わない。
【００４２】
ステップＳＴ２２：
ＵＳＢインタフェース１１とパーソナルコンピュータ３とが通信可能状態になり、ＵＳＢインタフェース１１を介して、パーソナルコンピュータ３からプル型データＰＵＬを入力（受信）する。
ＣＰＵ１７は、例えば、パーソナルコンピュータ３から入力した楽曲データのヘッダデータを基に、当該楽曲データがプッシュ型データＰＵＳおよびプル型データＰＵＬの何れであるかを判別する。
【００４３】
ステップＳＴ２３：
ＣＰＵ１７は、例えば、図７に示す上述した手順に従ってＨＤＤ１３に書き込まれたプッシュ型データＰＵＳの購入手続きをユーザが行った場合に、そのプッシュ型データＰＵＳをプル型データＰＵＬに変更する。
ＣＰＵ１７は、図３に示す管理データＴＡＢＬＥにおいて、上記購入手続きが行われたプッシュ型のＩＤを削除し、プル型のＩＤを付与する。
【００４４】
ＣＰＵ１７は、例えば、図１０に示す手順に基づいて、プッシュ型データＰＵＳからプル型データＰＵＬへの変更を行う。
すなわち、ＣＰＵ１７は、入力デバイス１５からのユーザの操作に応じた操作信号を基に、プッシュ型データＰＵＳを試聴用再生する（ステップＳＴ４１）。
そして、ＣＰＵ１７は、入力デバイス１５からの操作信号を基に、ユーザが購入指示を入力したと判断すると（ステップＳＴ４２）、その試聴したプッシュ型データＰＵＳをプル型データＰＵＬに変更する（ステップＳＴ４３）。
ＣＰＵ１７は、図３に示す楽曲データＭ＿ＩＤ２をユーザが購入した場合には、図１１に示すように、楽曲データＭ＿ＩＤ２のプッシュ型のＩＤを消去して、プル型のＩＤであるＰＵＬ＿ＩＤ３を付与する。
一方、ＣＰＵ１７は、試聴したプッシュ型データＰＵＳをユーザが購入しない場合、並びに上記変更手続きを終了した場合（ステップＳＴ４４，ＳＴ４５）は、次のプッシュ型データＰＵＳを試聴させる。
【００４５】
ステップＳＴ２４：
ＣＰＵ１７は、例えば、図３に示す管理データＴＡＢＬＥを基に、ＨＤＤ１３に記憶されているプル型データＰＵＬの総データ量を計算する。
【００４６】
ステップＳＴ２５：
ＣＰＵ１７は、ステップＳＴ２１で決定したプル型用記憶容量ＰＬＡＳと、ステップＳＴ２２で受信したプル型データＰＵＬのデータ量と、ステップＳＴ２４で計算した総データ量とを基に、ステップＳＴ２２で受信したプル型データＰＵＬをＨＤＤ１３に記憶した場合にＨＤＤ１３が記憶するプル型データＰＵＬの総データ量がプル型用記憶容量ＰＬＡＳを超えないか否かを判断する。
ＣＰＵ１７は、上記判断において、超えないと判断すると、プル型用記憶容量ＰＬＡＳに余裕があると判断して、ステップＳＴ２６に進み、超えると判断した場合にはステップＳＴ２７に進む。
【００４７】
ステップＳＴ２６：
ＣＰＵ１７は、ステップＳＴ２２で入力あるいはステップＳＴ２３で変更したプル型データＰＵＬをＨＤＤ１３に書き込む。
【００４８】
ステップＳＴ２７：
ＣＰＵ１７は、ＨＤＤ１３に記憶されているプッシュ型データＰＵＳの総データ量と、ステップＳＴ２１で決定したプッシュ型用記憶容量ＰＳＡＳと、ステップＳＴ２２で受信したプル型データＰＵＬのデータ量とを基に、プッシュ型用記憶容量ＰＳＡＳにプル型データＰＵＬを記憶する余裕があるか否かを判断し、余裕があると判断するとステップＳＴ２８に進み、そうでない場合にはステップＳＴ２９に進む。
【００４９】
ステップＳＴ２８：
ＣＰＵ１７は、ステップＳＴ２２で入力あるいはステップＳＴ２３で変更したプル型データＰＵＬをＨＤＤ１３に書き込む。
すなわち、図１２に示すように、プッシュ型用記憶容量ＰＳＡＳのうち一部を用いて、プル型データＰＵＬをＨＤＤ１３に書き込む。
【００５０】
ステップＳＴ２９：
ＣＰＵ１７は、ＨＤＤ１３に記憶されているプッシュ型データＰＵＳのうち、少なくともステップＳＴ２２で受信したプル型データＰＵＬのデータ量以上のデータ量のプッシュ型データＰＵＳを消去する。
ＣＰＵ１７は、例えば、携帯型オーディオプレーヤ１に入力した日時が古いものから順にＨＤＤ１３からプッシュ型データＰＵＳを削除する。
ＣＰＵ１７は、上記消去後に、ステップＳＴ２２で入力あるいはステップＳＴ２３で変更したプル型データＰＵＬをＨＤＤ１３に書き込む。
【００５１】
ステップＳＴ３０：
ＣＰＵ１７は、次にＨＤＤ１３に書き込むプル型データＰＵＬがあるか否かを判断し、あると判断するとステップＳＴ２４に戻り、そうでない場合には処理を終了する。
【００５２】
以上説明したように、携帯型オーディオプレーヤ１によれば、図７を用いて説明したように、プッシュ型用記憶容量ＰＳＡＳに余裕がある場合、並びにプル型用記憶容量ＰＬＡＳに余裕がある場合にのみ、プッシュ型データＰＵＳをＨＤＤ１３に書き込む。
これにより、ＨＤＤ１３内に記憶されるプッシュ型データＰＵＳのデータ量を制限できる。
【００５３】
また、携帯型オーディオプレーヤ１によれば、図９等を用いて説明したように、ＨＤＤ１３内にプル型データＰＵＬを書き込む余裕がない場合でも、プッシュ型用記憶容量ＰＳＡＳの一部を利用したり、プッシュ型データＰＵＳを削除などして、プル型データＰＵＬをＨＤＤ１３に書き込む。これにより、プル型データＰＵＬがＨＤＤ１３に書き込めない事態の発生を回避できる。
【００５４】
＜第２実施形態＞
本実施形態の携帯型オーディオプレーヤは、図７に示すプッシュ型データＰＵＳをＨＤＤ１３に書き込み処理の一部を除いて、第１実施形態の携帯型オーディオプレーヤ１と同じである。
図１３は、本実施形態のＣＰＵ１７ａが、プッシュ型データＰＵＳをＨＤＤ１３に書き込み動作を説明するためのフローチャートである。
図１３に示すステップＳＴ５１〜ＳＴ５５，ＳＴ５９は、それぞれ図７に示すステップＳＴ１１〜ＳＴ１５，ＳＴ１８と同じである。
以下、図１３に示すステップＳＴ５６〜ＳＴ５８について説明する。
【００５５】
ＣＰＵ１７ａは、ステップＳＴ５４において、プッシュ型用記憶容量ＰＳＡＳに余裕がないと判断すると、ステップＳＴ５６に進む。
ステップＳＴ５６：
ＣＰＵ１７ａは、ＨＤＤ１３に記憶されているプッシュ型データＰＵＳのなかに消去可能なものがあるか否かを判断し、あると判断するとステップＳＴ５７に進み、ないと判断すると処理を終了する（ステップＳＴ５２で入力したプッシュ型データＰＵＳをＨＤＤ１３に書き込まない）。
【００５６】
ステップＳＴ５７：
ＣＰＵ１７ａは、ステップＳＴ５６で消去可能と判断したプッシュ型データＰＵＳをＨＤＤ１３から消去する。
【００５７】
ステップＳＴ５８：
ＣＰＵ１７ａは、ステップＳＴ５２で受信したプッシュ型データＰＵＳを、ステップＳＴ５７で消去した記録領域に書き込む。
【００５８】
本実施形態の携帯型オーディオプレーヤによれば、ＨＤＤ１３内の予め決めたプッシュ型用記憶容量ＰＳＡＳ内にプッシュ型データＰＵＳの記録を抑えることができる。
これにより、本実施形態の携帯型オーディオプレーヤによれば、ＨＤＤ１３をプル型データＰＵＬに書き込む際に、プッシュ型データＰＵＳを消去する動作を行う回数を第１実施形態に比べて少なくでき、処理時間を短縮できる。
【００５９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６０】
上述した実施形態では、ＨＤＤ１３の記録領域を、プッシュ型データＰＵＳを記録するプッシュ型領域と、プル型データＰＵＬを記録するプル型とに物理的に分離しない場合を例示したが、これらの記録領域をパーティションとして物理的に分離して管理してもよい。
【００６１】
また、上述した実施形態では、図１に示すサーバ８が配信するプッシュ型データＰＵＳを、携帯型オーディオプレーヤ１がパーソナルコンピュータ３を介して入力した場合を例示したが、携帯型オーディオプレーヤ１がサーバ８から直接受信してもよい。
【００６２】
また、上述した実施形態では、本発明を携帯型オーディオプレーヤに適用した場合を例示したが、本発明はパーソナルコンピュータなどの携帯型以外の装置にも適用可能である。
また、上述した実施形態では、本発明のコンテンツデータとして、楽曲データなどのオーディオデータを例示したが、ビデオや写真などのイメージデータでもよい。
また、本発明において、コンテンツデータを記憶する記録手段として、図１に示すＨＤＤ１３の代わりに、ＭＤ（商標）などの光磁気記録媒体、ＣＤ−Ｒ(CD-recordable)やＤＶＤ−Ｒ(DVD-recordable) などの光記録媒体）、メモリースティック（商標）やＳＤカード（商標）などの半導体メモリなどを用いてもよい。
また、本発明は、パーソナルコンピュータ、コンパクトディスクなどの光ディスク再生装置、光磁気ディスク再生装置などに適用してもよい。
【図面の簡単な説明】
【００６３】
【図１】図１は、本発明の実施形態の係わる携帯型オーディオプレーヤが適用されるシステムを説明するための図である。
【図２】図２は、図１に示す携帯型オーディオプレーヤの構成図である。
【図３】図３は、図２に示す携帯型オーディオプレーヤが記憶する楽曲データに割り当てられている属性を説明するための図である。
【図４】図４は、図２に示すＨＤＤの記憶容量の管理を説明するための図である。
【図５】図５は、図２に示す携帯型オーディオプレーヤの外観図である。
【図６】図６は、図２に示すＬＣＤパネルに表示される再生画面を説明するための図である。
【図７】図７は、図２に示す携帯型オーディオプレーヤがパーソナルコンピュータからプッシュ型データＰＵＳを入力した場合の動作例を説明するためのフローチャートである。
【図８】図８は、図７に示す動作例におけるＨＤＤの記憶容量の使用方法を説明するための図である。
【図９】図９は、図２に示す携帯型オーディオプレーヤがパーソナルコンピュータからプル型データＰＵＬを入力した場合の動作例を説明するためのフローチャートである。
【図１０】図１０は、図９に示すステップＳＴ２３の処理を説明するためのフローチャートである。
【図１１】図１１は、図１０に示す動作による図３に示す管理データＴＡＢＬＥの更新方法を説明するための図である。
【図１２】図１２は、図９に示す動作例におけるＨＤＤの記憶容量の使用方法を説明するための図である。
【図１３】図１３は、本発明の第２実施形態における携帯型オーディオプレーヤによるプッシュ型データの書き込み動作を説明するためのフローチャートである。
【符号の説明】
【００６４】
１…携帯型オーディオプレーヤ、１１…ＵＳＢインタフェース、１２…ＳＤＲＡＭ、１３…ＨＤＤ、１４…ＬＣＤパネル、１５…入力デバイス、１６…フラッシュメモリ、１７，１７ａ…ＣＰＵ、１８…オーディオ出力回路、２１…ヘッドフォン端子、３８…ＢＡＣＫキー、３７…十字キー３７、３９…ＶＩＥＷキー、４０…ＭＥＮＵキー、３４…早戻しキー、３５…再生・一時的視キー、３６…早送りキー、ＰＳＡＳ…プッシュ型用記憶容量、ＰＬＡＳ…プル型用記憶容量、ＰＵＳ…プッシュ型データ，ＰＵＬ…プル型データ
【図１】
0004581890.tif 000002
【図２】
0004581890.tif 000003
【図３】
0004581890.tif 000004
【図４】
0004581890.tif 000005
【図５】
0004581890.tif 000006
【図６】
0004581890.tif 000007
【図７】
0004581890.tif 000008
【図８】
0004581890.tif 000009
【図９】
0004581890.tif 000010
【図１０】
0004581890.tif 000011
【図１１】
0004581890.tif 000012
【図１２】
0004581890.tif 000013
【図１３】
0004581890.tif 000014